(57)【特許請求の範囲】
【請求項１】
熱間圧延鋼板をせん断する際に発生する鋼片屑を搬送する複数のコンベアを備えたコンベア設備であって、
前記複数のコンベアの内、隣接する任意の２つのコンベアである上流側コンベアと下流側コンベアにおいて前記上流側コンベアの後端は前記下流側コンベアの先端より上方に配置され、
前記上流側コンベアと前記下流側コンベアとの間には、前記上流側コンベアから前記下流側コンベアへ鋼片屑の搬送を行う揺動エプロンが設けられ、
前記揺動エプロンは、鋼片屑を搬送時に支持する天板と、
前記天板を支持するブラケットと、
前記ブラケットを鋼片屑の搬送方向に対して垂直方向に揺動自在に支持する回転軸部材から構成され、
前記揺動エプロンと、前記下流側コンベアとの間には鋼片屑を搬送方向に移動させる駆動ロールが設けられる、コンベア設備。
【請求項２】
前記駆動ロールと前記下流側コンベアとの間には前記揺動エプロンから前記下流側コンベアへ鋼片屑を受け渡すシュートが設けられる、請求項１に記載のコンベア設備。
【請求項３】
前記駆動ロールと前記シュートとの間には、搬送中の鋼片屑と搬送路との間に間隙を作ることで鋼片屑を搬送路から部分的に浮かせるアイドルロールが設けられる、請求項２に記載のコンベア設備。
【請求項４】
前記コンベアはチェーンコンベアである、請求項１〜３のいずれかに記載のコンベア設備。
【請求項５】
前記揺動エプロンの上流側端部は下流側端部よりも上方に位置し、前記天板及び前記シュートは水平面に対して５°以上４５°以下の角度で傾くように構成される、請求項２に記載のコンベア設備。
【請求項６】
前記駆動ロールの回転軸は前記揺動エプロンの下流側端部よりも下方に位置する、請求項１に記載のコンベア設備。
【発明の詳細な説明】
【技術分野】
【０００１】
本発明は、例えば熱間圧延鋼板をせん断した際に発生する鋼片屑を搬送するための搬送用コンベア設備に関する。
【背景技術】
【０００２】
例えば圧延ライン上の熱間圧延鋼板を製品としてせん断する場合に、せん断後の切り屑である例えば先端部、後端部及び左右端部等は、次のせん断作業の邪魔となったり、ラインでの噛み込み等のトラブルの要因となるため、これら不要部はせん断後に切り屑（所謂鋼片屑、スクラップとも呼ばれる）としてライン上から取り除き、廃棄場に搬送される。そして、この切り屑を廃棄場へ搬送する際には、一般的にコンベア設備が用いられる。
【０００３】
例えば特許文献１には、鋼板処理ラインからスクラップをライン外へ移動させ、所定の場所に集積させるためのスクラップコンベア設備が開示されている。このスクラップコンベア設備は鋼板処理ラインからスクラップをライン外へ移動させる第１のベルトコンベアと、該スクラップを９０°ターンさせるカーブベルトコンベアと、このカーブベルトコンベアから受け取ったスクラップを移動させる第２のベルトコンベアから構成されている。
【０００４】
また、例えば特許文献２には、被搬送物を搬送する際のカーブ経路において、ローラ等の回転体に駆動装置を設ける必要のないベルトコンベアが開示されている。この特許文献２に開示されているベルトコンベアも、上記特許文献１と同様に搬入側コンベア、カーブコンベア及び搬出側コンベアから構成されている。
【０００５】
即ち、例えば上記特許文献１、２等に開示されているような鋼片屑等の被搬送物を搬送するために用いられる従来のコンベア設備は、複数のコンベアを連結させて構成されることが一般的であった。
【先行技術文献】
【特許文献】
【０００６】
【特許文献１】特開平７−２６７３１５号公報
【特許文献２】特開平３−２６４４１５号公報
【発明の概要】
【発明が解決しようとする課題】
【０００７】
しかしながら、特に１００ｋｇ以上の大重量の鋼片屑を搬送する場合に、上記特許文献１、２に記載されているような複数のコンベアが連結された構成であるコンベア設備では、各コンベア同士の間において鋼片屑等の被搬送物が設備外に落下したり、被搬送物がコンベア間に引っ掛かり詰まりを起こしてしまうといった問題があった。また、複数のコンベア間に高さの差異がある場合、搬送上流側のコンベアから下流側のコンベアに被搬送物が乗り移る際の被搬送物の落下によって、下流側のコンベアが破損してしまい、設備効率が良くないといった問題もあった。
【０００８】
そこで、上記事情に鑑み本発明の目的は、複数のコンベアから構成されるコンベア設備において鋼片屑を搬送する際に、コンベア間における鋼片屑の落下や引っ掛かりを防止し、設備の破損が生じないように円滑に鋼片屑を搬送することが可能なコンベア設備を提供することにある。
【課題を解決するための手段】
【０００９】
前記の目的を達成するため、本発明によれば、熱間圧延鋼板をせん断する際に発生する鋼片屑を搬送する複数のコンベアを備えたコンベア設備であって、前記複数のコンベアの内、隣接する任意の２つのコンベアである上流側コンベアと下流側コンベアにおいて前記上流側コンベアの後端は前記下流側コンベアの先端より上方に配置され、前記上流側コンベアと前記下流側コンベアとの間には、前記上流側コンベアから前記下流側コンベアへ鋼片屑の搬送を行う揺動エプロンが設けられ、前記揺動エプロンは、鋼片屑を搬送時に支持する天板と、前記天板を支持するブラケットと、前記ブラケットを鋼片屑の搬送方向に対して垂直方向に揺動自在に支持する回転軸部材から構成され、前記揺動エプロンと、前記下流側コンベアとの間には鋼片屑を搬送方向に移動させる駆動ロールが設けられる、コンベア設備が提供される。
【００１０】
上記コンベア設備において、前記駆動ロールと前記下流側コンベアとの間には前記揺動エプロンから前記下流側コンベアへ鋼片屑を受け渡すシュートが設けられていても良い。更には、前記駆動ロールと前記シュートとの間には、搬送中の鋼片屑と搬送路との間に間隙を作ることで鋼片屑を搬送路から部分的に浮かせるアイドルロールが設けられていても良い。
【００１１】
また、前記コンベアはチェーンコンベアであっても良く、前記揺動エプロンの上流側端部は下流側端部よりも上方に位置し、前記天板及び前記シュートは水平面に対して５°以上４５°以下の角度で傾くように構成されても良い。また、前記駆動ロールの回転軸は前記揺動エプロンの下流側端部よりも下方に位置しても良い。
【発明の効果】
【００１２】
本発明によれば、複数のコンベアから構成されるコンベア設備において鋼片屑を搬送する際に、コンベア間における鋼片屑の落下や引っ掛かりを防止し、設備の破損が生じないように円滑に鋼片屑を搬送することが可能なコンベア設備が提供される。
【図面の簡単な説明】
【００１３】
【図１】コンベア設備の概略的な側面断面図である。
【図２】コンベア設備の概略的な平面図である。
【図３】揺動エプロンの拡大説明図である。
【図４】アイドルロールの拡大説明図であり、鋼片屑がアイドルロール上に載っている状態を示している。
【発明を実施するための形態】
【００１４】
以下、本発明の実施の形態について図面を参照して説明する。なお、本明細書および図面において、実質的に同一の機能構成を有する構成要素については、同一の符号を付することにより重複説明を省略する。
【００１５】
図１は、本発明の実施の形態にかかるコンベア設備１の概略的な側面断面図である。また、図２はコンベア設備１の概略的な平面図である。なお、本実施の形態においては、以下に説明するように上流側コンベアと下流側コンベアがそれぞれ１つずつ設けられたコンベア設備１を例として図示して説明する。また、図１及び図２において搬送経路Ｌを一点鎖線で図示したように、鋼片屑Ｗは左から右に搬送されるものとし、図中左側を搬送方向上流、図中右側を搬送方向下流として説明する。
【００１６】
図１及び図２に示すように、コンベア設備１には例えば熱間圧延鋼板を製品化する際のせん断時に発生する鋼片屑Ｗを搬送する上流側コンベア１０と下流側コンベア１２が備えられている。上流側コンベア１０の上流側には例えば熱間圧延鋼板等をせん断するためのせん断機５が設けられており、せん断機５から排出された鋼片屑Ｗは上流側コンベア１０を起点として搬送経路Ｌに沿って搬送される。
【００１７】
また、上流側コンベア１０と下流側コンベア１２は、鋼片屑Ｗの搬送路（以下、搬送経路Ｌとも記載する、図中一点鎖線参照）に沿って所定の間隔を空けて直列的に隣接配置されている。ここで、各コンベアの搬送方向は同一方向（図中右方向）である。また、上流側コンベア１０及び下流側コンベア１２は例えば複数のチェーンを連結させて搬送用ベルトを構成し、モータ等の駆動機構によって稼動するチェーンコンベアである。
【００１８】
また、図１に示すように、上流側コンベア１０は下流側コンベア１２よりも所定の高さだけ高い位置に配置されている。そして、上流側コンベア１０と下流側コンベア１２の間には、搬送経路Ｌに沿って上流から順に揺動エプロン２０、駆動ロール２４、受け渡し用板２６、アイドルロール２８、シュート３０が設けられている。即ち、図１及び図２に示すように、コンベア設備１では、搬送経路Ｌ上に搬送方向上流から順に上流側コンベア１０、揺動エプロン２０、駆動ロール２４、受け渡し用板２６、アイドルロール２８、シュート３０、下流側コンベア１２が配置されている。なお、下流側コンベア１２の更に下流には、鋼片屑を廃棄または貯留するための設備（図示せず）が設けられている。
【００１９】
揺動エプロン２０は、上流側コンベア１０から搬送されてきた鋼片屑Ｗを載せる天板２１と、天板２１を下方から支持し、天板２１と一体的に固着しているブラケット２２と、ブラケット２２の下部に設けられ当該ブラケット２２を搬送方向に対して垂直な方向に揺動自在に支持する回転軸部材２３から構成されている。ここで、図２に示すように、ブラケット２２は搬送経路Ｌの幅方向において複数枚設けられており、１枚の天板２１が複数枚のブラケット２２と一体的に固着し、支持されている構成となっている。
【００２０】
また、上記搬送方向に対して垂直な方向とは、揺動エプロン２０上にて鋼片屑Ｗが搬送されている際の天板２１の上面に対して垂直な方向、即ち、上下方向である。また、揺動エプロン２０の上流側端部２０ａ（即ち、天板２１の上流側端部２０ａ）は揺動自在の状態で上流側コンベア１０の外周に接触（載置）しており、上流側コンベア１０の稼動（例えばチェーンコンベアの場合のチェーンの回転）に併せて揺動する構成となっている。この揺動に伴って天板２１上の鋼片屑Ｗも振動して、該鋼片屑Ｗが搬送され易くなる。
【００２１】
また、図１に示すように、揺動エプロン２０の上流側端部２０ａ（即ち、天板２１の上流側端部２０ａ）は下流側端部２０ｂ（即ち、天板２１の下流側端部２０ｂ）よりも上方に位置しており、揺動エプロン２０は、天板２１が水平面に対して所定の角度θで傾くように設置されている。また、天板２１だけではなく、図１に示す搬送経路Ｌのうち、天板２１、回転軸部材２３、駆動ロール２４、受け渡し用板２６、アイドルロール２８、シュート３０で形成される部分Ｌ’の傾斜角度も所定の角度θとなっている。この搬送経路Ｌの一部であるＬ’の傾斜角度θは例えば５度〜４５度であることが好ましく、１０度〜３５度であることが更に好ましい。傾斜角度θが５度未満の場合、小さい鋼片屑Ｗが天板２１上に滞留して居残り、搬送が効率的に行われない恐れがある。一方、傾斜角度θが４５度超の場合、鋼片屑Ｗ搬送中に上流側コンベア１０と天板２１との間に必要以上に隙間が開きすぎ、鋼片屑Ｗが落下してしまうといった問題や、急勾配により鋼片屑Ｗが滑り過ぎて下流側コンベア１２を損傷してしまうといった問題がある。なお、図１に示す本実施の形態では天板２１、回転軸部材２３、駆動ロール２４、受け渡し用板２６、アイドルロール２８、シュート３０で形成される部分Ｌ’の傾斜角度は全て等しくθである場合を例示して説明しているが、例えばシュート３０の部分の傾斜角度を他の部分（天板２１、回転軸部材２３、駆動ロール２４、受け渡し用板２６、アイドルロール２８）に比べ１０〜１５度程度大きくすることも考えられる。
【００２２】
また、揺動エプロン２０の下流側端部近傍には、鋼片屑Ｗを搬送するための駆動ロール２４が設置されており、この駆動ロール２４は天板２１の下流側端部２０ｂとは非接触となっている。駆動ロール２４は図示しない駆動機構によって回転させられる構成となっており、その上面に搬送されてきた鋼片屑Ｗを下流へ搬送するものである。
【００２３】
また、駆動ロール２４の下流側には、アイドルロール２８が設置されており、駆動ロール２４とアイドルロール２８との間には、鋼片屑Ｗを受け渡すための受け渡し用板２６が設けられている。図１に示すように、アイドルロール２８は回転自在に支持されたロールであり、その上端部は受け渡し用板２６の上面ならびに後述するシュート３０の上面に比べて上方に突出するような位置に設置されている。即ち、駆動ロール２４によって下流方向へ移動させられた鋼片屑Ｗが、シュート３０の上面を搬送される際に、アイドルロール３０の上端部がシュート３０（ならびに受け渡し用板２６）の上面より突出して配置されているため、鋼片屑Ｗの下面がシュート３０の上面に張り付き、搬送が阻害されてしまうことを防止することができる。
【００２４】
アイドルロール２８の下流にはシュート３０が設置されており、このシュート３０の下流には下流側コンベア１２が連結して配置されている。シュート３０はその上流側端部の方が下流側端部より上方に位置する構成であり、シュート３０まで搬送された鋼片屑Ｗは、上流側に配置された駆動ロール２４の稼動と鋼片屑Ｗの自重により下流側コンベア１２に搬送される。なお、下流側コンベア１２によって搬送された例えばスクラップ等である鋼片屑Ｗは、それらを貯留するための設備（図示せず）まで搬送される。
【００２５】
以上図１及び図２を参照して説明したように構成される本実施の形態にかかるコンベア設備１においては、上流側コンベア１０と下流側コンベア１２との間で鋼片屑Ｗの落下や引っ掛かりが防止され、円滑に鋼片屑Ｗの搬送を行うことができる。その要因としては、上記説明した上流側コンベア１０の後端が下流側コンベア１２の先端より上方に配置され両コンベア１０、１２間に段差があること、更に、揺動エプロン２０、駆動ロール２４及びアイドルロール２８を設けたことが挙げられる。
【００２６】
図３は揺動エプロン２０の拡大説明図である。上述したように、揺動エプロン２０は天板２１、ブラケット２２及び回転軸部材２３から構成されている。そして、天板２１の上流側端部２０ａは上流側コンベア１０の外周部であるベルト１０ａに接触している。一方、天板２１の下流側端部２０ｂは駆動ロール２４とは非接触となっている。なお、図３には上流側コンベア１０が所謂チェーンコンベアである場合を図示している。
【００２７】
例えば上流側コンベア１０が一般的に知られているブロック式のチェーンコンベアである場合には、ベルト１０ａは複数の円環状のチェーン１０ｂを連結させて構成される。即ち、ベルト１０ａは外周に沿って多少の凹凸が形成された形状となる。ここで、鋼片屑Ｗを搬送するためにベルト１０ａが回転した場合（上流側コンベア１０が稼動した場合）には、ベルト１０ａと接触している天板２１の上流側端部２０ａが上記凹凸に沿って上下方向（搬送方向に対して垂直な方向）に揺動する。言い換えると、鋼片屑Ｗ搬送時には天板２１が上下方向に微振動する。この天板２１の揺動（即ち、揺動エプロン２０の微振動）によって揺動エプロン２０上面に搬送されてきた小さな鋼片屑Ｗが搬送路上に滞留して居残る（屑詰まり）ことを防止でき、更に、乗継部の開口隙間を最小限にできるので、鋼片屑Ｗが引っ掛かり、詰まってしまうといった従来の問題が解消されることとなる。なお、ここでは上流側コンベア１０としてチェーンコンベアを例示・図示して説明したが、一般的なベルト式コンベアである場合でも、天板２１の揺動（微振動）は発生するため、鋼片屑Ｗの引っ掛かりは防止される。
【００２８】
また、図４はアイドルロール２８の拡大説明図であり、鋼片屑Ｗがアイドルロール２８上に載っている状態を示している。上述したように、アイドルロール２８は受け渡し用板２６とシュート３０との間に配置され、その上端部は受け渡し用板２６及びシュート３０の上面より突出している。そこで、図４に示すように、搬送経路Ｌ（即ち、受け渡し用板２６、シュート３０の上面）との間に間隙３４が形成された状態で鋼片屑Ｗが搬送されることとなる。このように本実施の形態にかかるコンベア設備１では、揺動エプロン２０とシュート３０との間において、鋼片屑Ｗと搬送路（搬送経路Ｌ）との間に間隙３４を形成した状態で随時搬送が行われるため、アイドルロール２８を設けずに搬送した場合に問題となる鋼片屑Ｗとシュート３０の上面とがくっつき搬送効率が低下するといった問題が回避される。
【００２９】
以上、図１〜図４を参照して説明したように構成されるコンベア設備１においては、特に例えば重さ１００ｋｇ以上の鋼片屑Ｗを搬送する場合には、上流側コンベア１０と下流側コンベア１２との間の搬送路に揺動エプロン２０、駆動ロール２４、アイドルロール２８、シュート３０を設けた構成としたことにより、上流側コンベア１０から下流側コンベア１２に直接鋼片屑Ｗを移動させる場合に比べ、鋼片屑Ｗの下流側コンベア１２への落下による設備破損や、搬送路外への落下を防止することが可能となり、円滑な搬送が実現され生産性の低下を抑制することができる。
【００３０】
また、図３を参照して説明したように、揺動エプロン２０の上面においては、上流側コンベア１０の稼動に伴って天板２１の揺動（微振動）が発生する。そしてこの揺動により鋼片屑Ｗが搬送路上に引っ掛かり詰まってしまうといった現象が防止され、円滑な搬送を実現させることができる。
【００３１】
更には、図４を参照して説明したように、搬送路上にアイドルロール２８を設けたことにより、鋼片屑Ｗが搬送路の上面（例えばシュート３０の上面や受け渡し用板２６の上面等）にくっつき、詰まりを起こしたりすることで搬送効率が低下するといった事態を防止することができる。
【００３２】
以上、本発明の実施の形態の一例を説明したが、本発明は図示の形態に限定されない。当業者であれば、特許請求の範囲に記載された思想の範疇内において、各種の変更例または修正例に想到し得ることは明らかであり、それらについても当然に本発明の技術的範囲に属するものと了解される。
【００３３】
例えば、上記実施の形態では、鋼片屑Ｗとして１００ｋｇ以上の熱間圧延鋼板をせん断した際の切り屑を例示した。本発明にかかるコンベア設備は、特に大重量のスクラップ等の搬送時に有効であるがこれに限られるものではなく、あらゆる鋼片屑を搬送する際に用いられる設備に対しても適用可能である。
【００３４】
また、上記実施の形態にかかるコンベア設備１は、揺動エプロン２０、駆動ロール２４及びアイドルロール２８を全て備えた構成であるものとして説明したが、本発明はこれに限られるものではなく、各構成要素のいずれかを備えたコンベア設備であれば良い。例えば搬送路上に揺動エプロン２０のみを備えた構成とした場合でも、鋼片屑Ｗの円滑な搬送が十分に実現可能である。
【００３５】
また、コンベア設備１が備える上流側コンベア１０及び下流側コンベア１２として所謂チェーンコンベアを例示したが、一般的なベルトコンベアを用いる場合にも本発明は適用可能である。
【産業上の利用可能性】
【００３６】
本発明は、例えば熱間圧延鋼板をせん断した際に発生する鋼片屑を搬送するための搬送用コンベア設備に適用できる。
【符号の説明】
【００３７】
１…コンベア設備
５…せん断機
１０…上流側コンベア
１０ａ…ベルト
１０ｂ…チェーン
１２…下流側コンベア
２０…揺動エプロン
２０ａ…上流側端部
２０ｂ…下流側端部
２１…天板
２２…ブラケット
２３…回転軸部材
２４…駆動ロール
２６…受け渡し用板
２８…アイドルロール
３０…シュート
３４…間隙
Ｌ…搬送経路
Ｗ…鋼片屑
【図１】
0005823301.tif 000002
【図２】
0005823301.tif 000003
【図３】
0005823301.tif 000004
【図４】
0005823301.tif 000005